(57)【要約】【課題】  相手先ファクシミリ装置がＩＰ電話に接続されている場合でも安定した送信を行う。【解決手段】  ファクシミリ装置１０が、ＩＰ電話に接続されたファクシミリ装置へのデータ送信が通信異常となった場合、ＥＣＭ通信を禁止してＧ３通信へ切り替える通信パラメータ設定手段１４を備える。【選択図】  図１
2014187582.tif 000002
【特許請求の範囲】
【請求項１】
ＩＰ電話に接続されたファクシミリ装置へのデータ送信が通信異常となった場合、ＥＣＭ通信を禁止してＧ３通信へ切り替える通信パラメータ設定手段を備える
ことを特徴とするファクシミリ装置。
【請求項２】
相手方ファクシミリ装置から送られてきた電話番号を解析し、当該ファクシミリ装置がＩＰ電話に接続されたファクシミリ装置であるか否かを解析する電話番号解析手段を備える
ことを特徴とする請求項１に記載のファクシミリ装置。
【請求項３】
ファクシミリ装置による通信方法であって、
通信パラメータ設定手段が、ＩＰ電話に接続されたファクシミリ装置へのデータ送信が通信異常となった場合、ＥＣＭ通信を禁止してＧ３通信へ切り替える通信パラメータ設定ステップを有する
ことを特徴とするファクシミリ装置。
【請求項４】
電話番号解析手段が、相手方ファクシミリ装置から送られてきた電話番号を解析し、当該ファクシミリ装置がＩＰ電話に接続されたファクシミリ装置であるか否かを解析する電話番号解析ステップを有する
ことを特徴とする請求項３に記載のファクシミリ装置。
【請求項５】
ファクシミリ装置上で動作するプログラムであって、
通信パラメータ設定手段に、ＩＰ電話に接続されたファクシミリ装置へのデータ送信が通信異常となった場合、ＥＣＭ通信を禁止してＧ３通信へ切り替える通信パラメータ設定処理を実行させる
ことを特徴とするファクシミリ装置。
【請求項６】
電話番号解析手段に、相手方ファクシミリ装置から送られてきた電話番号を解析し、当該ファクシミリ装置がＩＰ電話に接続されたファクシミリ装置であるか否かを解析する電話番号解析処理を実行させる
ことを特徴とする請求項５に記載のファクシミリ装置。
【発明の詳細な説明】
【技術分野】
【０００１】
本発明は、ファクシミリ装置に関し、特に、ＩＰ電話に接続されたファクシミリ装置に対する通信技術に関する。
【背景技術】
【０００２】
これまで、ファクシミリ通信は、アナログ回線のＰＳＴＮ回線（公衆回線）若しくは内線を用いた通信であった。
【０００３】
ところが最近、新たなネットワーク通信網としてＩＰ網を利用したＩＰ電話が急速に普及し、これに伴い、ＩＰ電話に接続されたファクシミリ装置の利用も増えてきている。Ｖｏｉｐ機能を持ったＩＰ電話はＰＳＴＮ回線と回線特性と異なる。このため、ＩＰ電話に接続されたファクシミリ通信においては、ＩＰ電話の回線特性による通信異常が多発するようになった。
【０００４】
このような問題を解決するため、相手方のファクシミリ装置がＩＰ電話に接続されている場合に、通信速度を切り替えて安定した送信を行う技術が、例えば特許文献１や特許文献２に開示されている。
【先行技術文献】
【特許文献】
【０００５】
【特許文献１】特開２００５−１５０９１６号公報
【特許文献２】特開２００５−１３００３６号公報
【発明の概要】
【発明が解決しようとする課題】
【０００６】
特許文献１及び特許文献２に開示の技術は、安定した送信を実現するために、回線速度を落とさなければならないという問題がある。また、ＥＣＭ通信を前提としているため、データの一部が欠損したら通信が不可能になるという問題がある。
【０００７】
（発明の目的）
本発明の目的は、上述の課題を解決し、相手先ファクシミリ装置がＩＰ電話に接続されている場合でも安定した送信が可能なファクシミリ装置、通信方法及び通信プログラムを提供することである。
【課題を解決するための手段】
【０００８】
本発明の第１のファクシミリ装置は、ＩＰ電話に接続されたファクシミリ装置へのデータ送信が通信異常となった場合、ＥＣＭ通信を禁止してＧ３通信へ切り替える通信パラメータ設定手段を備える。
【０００９】
本発明の第１の通信方法は、ファクシミリ装置による通信方法であって、通信パラメータ設定手段が、ＩＰ電話に接続されたファクシミリ装置へのデータ送信が通信異常となった場合、ＥＣＭ通信を禁止してＧ３通信へ切り替える通信パラメータ設定ステップを有する。
【００１０】
本発明の第１の通信プログラムは、ファクシミリ装置上で動作するプログラムであって、通信パラメータ設定手段に、ＩＰ電話に接続されたファクシミリ装置へのデータ送信が通信異常となった場合、ＥＣＭ通信を禁止してＧ３通信へ切り替える通信パラメータ設定処理を実行させる。
【発明の効果】
【００１１】
本発明によれば、相手先ファクシミリ装置がＩＰ電話に接続されている場合でも安定した送信ができる。
【図面の簡単な説明】
【００１２】
【図１】本発明の第１の実施の形態によるファクシミリ装置の構成を示すブロック図である。
【図２】本発明の第１の実施の形態によるファクシミリ装置の動作を示すシーケンス図である。
【図３】本発明のファクシミリ装置の最小限の構成を示すブロック図である。
【発明を実施するための形態】
【００１３】
本発明の上記及び他の目的、特徴及び利点を明確にすべく、添付した図面を参照しながら、本発明の実施形態を以下に詳述する。なお、上述の本願発明の目的のほか、他の技術的課題、その技術的課題を解決する手段及びその作用効果についても、以下の実施形態による開示によって明らかとなるものである。なお、すべての図面において、同様な構成要素には同様の符号を付し、適宜説明を省略する。
【００１４】
（第１の実施の形態）
本発明では、相手ファクシミリ装置から送られてきたＣＳＩ、ＣＩＧ等の電話番号を解析し、該電話番号の先頭が０５０なら相手機がＩＰ電話に接続されたファクシミリ装置と判断する。そして、ＩＰ電話に接続されたファクシミリ装置へデータを送信する場合は、通信異常の再送において、Ｇ３通信へ強制的に通信モードを変更し、連続で通信異常が発生することを回避する。
【００１５】
現在のファクシミリ装置はＥＣＭ通信をほとんどの装置が持っているため、ＩＰ電話を経由したファクシミリ通信もＥＣＭ通信となる。そこで、ＩＰ電話に接続されたファクシミリ装置と通信できない場合は、データの一部が欠損しても通信可能なＧ３通信で再送信することにより、通信異常を回避する。
【００１６】
次に、本発明の第１の実施の形態について図面を参照して詳細に説明する。
【００１７】
図１は、本発明の第１の実施の形態によるファクシミリ装置１０の構成を示すブロック図である。なお、図１は例示であって、システム構成を制限するものではない。
【００１８】
ファクシミリ装置１０は、通信制御部１１と、ＮＣＵ制御手段１５と、モデム制御手段１６とを備える。
【００１９】
ＮＣＵ制御部１５やモデム制御部１６は、発呼制御や着呼制御を行う。
【００２０】
通信制御部１１は、信号制御手段１２と、電話番号解析手段１３と、通信パラメータ設定手段１４と、を含む。
【００２１】
信号制御手段１２は、プロトコルの制御を行う。
【００２２】
電話番号解析手段１３は、相手方のファクシミリ装置から受信した電話番号情報に基づいて、相手方のファクシミリ装置がＩＰ電話に接続されたファくりミリであるか否かを解析する。
【００２３】
通信パラメータ設定手段１４は、相手方のファクシミリ装置がＩＰ電話に接続されたファクシミリ装置である場合であって、当該ファクシミリ装置へ通信異常の再送を行う場合に、ＥＣＭ通信を禁止し、Ｇ３通信で送信する設定を行う。ＩＰ電話に接続されたファクシミリ装置以外の場合や、通常のデータ送信の場合は、通常の通信設定を行う。
【００２４】
なお、ＩＰ電話に接続されたファクシミリ装置へデータを送信する場合は、一律にＥＣＭ通信を禁止することとしてもよい。
【００２５】
（第１の実施の形態の動作の説明）
次に、本実施の形態によるファクシミリ装置１０の動作について、図２を参照して詳細に説明する。図２は、本実施の形態によるファクシミリ装置１０の動作を示すチャート図である。
【００２６】
まず、電話番号解析手段１３が、相手ファクシミリ装置から送られてきたＣＳＩ、ＣＩＧの電話番号を解析し、先頭が０５０であれば相手機をＩＰ電話に接続されたファクシミリ装置と判断する。
【００２７】
そして、ＩＰ電話に接続されたファクシミリ装置へのデータ送信が通信異常となった場合、通信パラメータ設定手段１４が、該データをメモリに記憶し、再送信においてＥＣＭ通信を禁止し、Ｇ３通信で送信する。
【００２８】
（第１の実施の形態による効果）
本実施の形態によれば、ＩＰ電話に接続されたファクシミリ装置に対して、通信異常に基づくデータ再送を行う際に、ＥＣＭ通信を禁止してＧ３通信で再送することで、通信異常が連続で発生することを回避する。
【００２９】
ここで、本発明の課題を解決できる最小限の構成を図３に示す。ファクシミリ装置１０が、ＩＰ電話に接続されたファクシミリ装置へのデータ送信が通信異常となった場合、ＥＣＭ通信を禁止してＧ３通信へ切り替える通信パラメータ設定手段１４を備えることで、上述した本発明の課題を解決することができる。
【００３０】
以上、好ましい実施の形態をあげて本発明を説明したが、本発明は必ずしも、上記実施の形態に限定されるものでなく、その技術的思想の範囲内において様々に変形して実施することができる。
【００３１】
なお、以上の構成要素の任意の組み合わせ、本発明の表現を方法、装置、システム、記録媒体、コンピュータプログラムなどの間で変換したものもまた、本発明の態様として有効である。
【００３２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３３】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障しない範囲で変更することができる。
【００３４】
また、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【００３５】
さらに、上記実施形態の一部又は全部は、以下の付記のようにも記載されうるが、これに限定されない。
【００３６】
（付記１）
ＩＰ電話に接続されたファクシミリ装置へのデータ送信が通信異常となった場合、ＥＣＭ通信を禁止してＧ３通信へ切り替える通信パラメータ設定手段を備える
ことを特徴とするファクシミリ装置。
【００３７】
（付記２）
相手方ファクシミリ装置から送られてきた電話番号を解析し、当該ファクシミリ装置がＩＰ電話に接続されたファクシミリ装置であるか否かを解析する電話番号解析手段を備える
ことを特徴とする付記１に記載のファクシミリ装置。
【００３８】
（付記３）
ファクシミリ装置による通信方法であって、
通信パラメータ設定手段が、ＩＰ電話に接続されたファクシミリ装置へのデータ送信が通信異常となった場合、ＥＣＭ通信を禁止してＧ３通信へ切り替える通信パラメータ設定ステップを有する
ことを特徴とするファクシミリ装置。
【００３９】
（付記４）
電話番号解析手段が、相手方ファクシミリ装置から送られてきた電話番号を解析し、当該ファクシミリ装置がＩＰ電話に接続されたファクシミリ装置であるか否かを解析する電話番号解析ステップを有する
ことを特徴とする付記３に記載のファクシミリ装置。
【００４０】
（付記５）
ファクシミリ装置上で動作するプログラムであって、
通信パラメータ設定手段に、ＩＰ電話に接続されたファクシミリ装置へのデータ送信が通信異常となった場合、ＥＣＭ通信を禁止してＧ３通信へ切り替える通信パラメータ設定処理を実行させる
ことを特徴とするファクシミリ装置。
【００４１】
（付記６）
電話番号解析手段に、相手方ファクシミリ装置から送られてきた電話番号を解析し、当該ファクシミリ装置がＩＰ電話に接続されたファクシミリ装置であるか否かを解析する電話番号解析処理を実行させる
ことを特徴とする付記５に記載のファクシミリ装置。
【符号の説明】
【００４２】
１０：ファクシミリ装置
１１：通信制御部
１２：信号制御手段
１３：電話番号解析手段
１４：通信パラメータ設定手段
１５：ＮＣＵ制御部
１６：モデム制御部
【図１】
2014187582.tif 000003
【図２】
2014187582.tif 000004
【図３】
2014187582.tif 000005